(57)【特許請求の範囲】
【請求項１】
第１サブフレームで他の無線通信装置から、下り回線信号を受信する受信部と、
受信した前記下り回線信号の誤り判定結果であるＡＣＫ／ＮＡＣＫを生成するＡＣＫ／ＮＡＣＫ生成部と、
第２サブフレームにおける前記他の無線通信装置向けの上り回線信号の割り当てがないとき、前記第１サブフレームよりも所定のサブフレームだけ後であり、かつ、前記第２サブフレームよりも前である第３サブフレームで、他の上り回線信号が割り当てられているかどうかを判断する判断部と、
前記判断部が前記第３サブフレームで前記他の上り回線信号が割り当てられていると判断した場合、前記第３サブフレームで前記ＡＣＫ／ＮＡＣＫを、前記他の上り回線信号に多重する多重部と、
前記多重部で前記ＡＣＫ／ＮＡＣＫが多重された前記他の上り回線信号を送信する送信部と、
を具備する無線通信装置。
【請求項２】
前記判断部は、
前記第１サブフレームよりも前記所定のサブフレームだけ後であり、かつ前記第２のサブフレームよりも前である前記第３サブフレームのうち、前記第１サブフレームに最も近いサブフレームで前記他の上り回線信号が割り当てられているかどうかを判断する、
請求項１に記載の無線通信装置。
【請求項３】
前記所定のサブフレームは、当該無線通信装置の処理遅延時間である、
請求項１または２に記載の無線通信装置。
【請求項４】
第１サブフレームで第１の他の無線通信装置から、下り回線信号を受信する受信部と、
受信した前記下り回線信号の誤り判定結果である第１のＡＣＫ／ＮＡＣＫを生成するＡＣＫ／ＮＡＣＫ生成部と、
第２サブフレームにおける前記第１の他の無線通信装置向けの上り回線信号の割り当てがないとき、前記第２サブフレームよりも後であり、かつ、前記第２サブフレームよりも所定のサブフレームだけ後の第３サブフレームよりも前の第４サブフレームで、他の上り回線信号又は他の下り回線信号の第２のＡＣＫ／ＮＡＣＫが割り当てられているかどうかを判断する判断部と、
前記判断部が前記第４サブフレームで前記他の上り回線信号又は前記他の下り回線信号の前記第２のＡＣＫ／ＮＡＣＫが割り当てられていると判断した場合、前記第４サブフレームで前記第１のＡＣＫ／ＮＡＣＫを、前記他の上り回線信号又は前記他の下り回線信号の前記第２のＡＣＫ／ＮＡＣＫに多重する多重部と、
前記多重部で前記第１のＡＣＫ／ＮＡＣＫが多重された前記他の上り回線信号又は前記他の下り回線信号の前記第２のＡＣＫ／ＮＡＣＫを送信する送信部と、
を具備する無線通信装置。
【請求項５】
前記判断部の判断結果に基づき、アクセスリンクに使用できるサブフレームの情報を第２の他の無線通信装置へ通知するための制御信号を生成する制御信号生成部を備える、
請求項４に記載の無線通信装置。
【請求項６】
前記所定のサブフレームは、前記無線通信装置の処理遅延時間と、前記第２サブフレームから当該第２サブフレームで送信される上り回線信号に対するＡＣＫ／ＮＡＣＫが送信される第５サブフレームまでの時間との差である、
請求項１または２に記載の無線通信装置。
【請求項７】
第１サブフレームで他の無線通信装置から、下り回線信号を受信し、
受信した前記下り回線信号の誤り判定結果であるＡＣＫ／ＮＡＣＫを生成し、
第２サブフレームにおける前記他の無線通信装置向けの上り回線信号の割り当てがないとき、前記第１サブフレームよりも所定のサブフレームだけ後であり、かつ、前記第２のサブフレームよりも前である第３サブフレームで、他の上り回線信号が割り当てられているかどうかを判断し、
前記第３サブフレームで前記他の上り回線信号が割り当てられていると判断した場合、前記第３サブフレームで前記ＡＣＫ／ＮＡＣＫを、前記他の上り回線信号に多重し、
前記ＡＣＫ／ＮＡＣＫが多重された前記他の上り回線信号を送信する、
無線通信方法。
【請求項８】
第１サブフレームで第１の他の無線通信装置から、下り回線信号を受信し、
受信した前記下り回線信号の誤り判定結果である第１のＡＣＫ／ＮＡＣＫを生成し、
第２サブフレームにおける前記第１の他の無線通信装置向けの上り回線信号の割り当てがないとき、前記第２サブフレームよりも後であり、かつ、前記第２サブフレームよりも所定のサブフレームだけ後の第３サブフレームよりも前の第４サブフレームで、他の上り回線信号又は他の下り回線信号の第２のＡＣＫ／ＮＡＣＫが割り当てられているかどうかを判断し、
前記第４サブフレームで前記他の上り回線信号又は前記他の下り回線信号の第２のＡＣＫ／ＮＡＣＫが割り当てられていると判断した場合、前記第４サブフレームで前記第１のＡＣＫ／ＮＡＣＫを、前記他の上り回線信号又は前記他の下り回線信号の前記第２のＡＣＫ／ＮＡＣＫに多重し、
前記第１のＡＣＫ／ＮＡＣＫが多重された前記他の上り回線信号又は前記他の下り回線信号の前記第２のＡＣＫ／ＮＡＣＫを送信する、
無線通信方法。
【発明の詳細な説明】
【技術分野】
【０００１】
本発明は、無線通信装置及び無線通信方法に関し、特に、中継送信技術による通信を行う無線通信装置及び無線通信方法に関する。
【背景技術】
【０００２】
近年、セルラ移動体通信システムにおいては、情報のマルチメディア化に伴い、音声データのみならず、静止画像データ、動画像データ等の大容量データを伝送することが一般化しつつある。大容量データの伝送を実現するために、高周波の無線帯域を利用して高伝送レートを実現する技術に関して盛んに検討がなされている。
【０００３】
しかし、高周波の無線帯域を利用した場合、近距離では高伝送レートを期待できる一方、遠距離になるにしたがい伝送距離による減衰が大きくなる。よって、高周波の無線帯域を利用した移動体通信システムを実際に運用する場合は、無線通信基地局装置（以下、基地局と省略する）のカバーエリアが小さくなり、このため、より多くの基地局を設置する必要が生じる。基地局の設置には相応のコストがかかるため、基地局数の増加を抑制しつつ、高周波の無線帯域を利用した通信サービスを実現するための技術が強く求められている。
【０００４】
このような要求に対し、各基地局のカバーエリアを拡大させるために、図１３に示す無線中継システムのように、基地局１０と無線通信移動局装置３０（以下、移動局と省略する）との間に無線通信中継局装置２０（以下、中継局と省略する）を設置し、基地局１０と移動局３０との間の通信を中継局２０を介して行う中継送信技術が検討されている。中継技術を用いると、基地局と直接通信できない端末も、中継局２０を介して通信することができる。なお、無線通信移動局装置３１は、直接、基地局１０と接続する。
【０００５】
［ＴＤ  ｒｅｌａｙの説明］
ＴＤ  ｒｅｌａｙ（ｈａｌｆ  ｄｕｐｌｅｘ  ｒｅｌａｙとも呼ばれる）では、基地局１０から中継局２０の送信と、中継局２０から移動局３０の送信を時間で分割する。図１４は下り回線（ＤＬ）のＴＤ  ｒｅｌａｙを示す図、図１５は上り回線（ＵＬ）のＴＤ  ｒｅｌａｙを示す図である。図１４、図１５の縦軸は時間軸である。
【０００６】
図１４に示す下り回線では、サブフレーム＃２（Ｓｕｂｆｒａｍｅ  ＃２）では、アクセスリンク（Ａｃｃｅｓｓ  ｌｉｎｋ）で中継局２０から移動局３０の送信を行い、サブフレーム＃３（Ｓｕｂｆｒａｍｅ  ＃３）では、バックホールリンク（Ｂａｃｋｈａｕｌ  ｌｉｎｋ）で基地局１０から中継局２０への通信を行う。そして、サブフレーム＃４では、再び、中継局２０から移動局３０の送信を行う。同様に、図１５に示す上り回線では、サブフレーム＃２（Ｓｕｂｆｒａｍｅ  ＃２）では、アクセスリンク（Ａｃｃｅｓｓ  ｌｉｎｋ）で移動局３０から中継局２０への送信を行い、サブフレーム＃３（Ｓｕｂｆｒａｍｅ  ＃３）では、バックホールリンク（Ｂａｃｋｈａｕｌ  ｌｉｎｋ）で中継局２０から基地局１０への通信を行う。そして、サブフレーム＃４では、再び、移動局３０から中継局２０への送信を行う。
【０００７】
図１４、及び図１５に示すように、中継局２０（Ｒｅｌａｙ）のバックホールリンク（Ｂａｃｋｈａｕｌ  ｌｉｎｋ）の通信と、中継局２０（Ｒｅｌａｙ）のアクセスリンク（Ａｃｃｅｓｓ  ｌｉｎｋ）の通信とを、時間軸で分割することで、中継局２０が送信する時間と受信する時間を分割することができる。したがって、中継局２０は、送信アンテナと受信アンテナ間の回りこみの影響を受けずに、中継することができる。
【０００８】
ＬＴＥでは、上り回線（Ｕｐ  Ｌｉｎｋ；以下、ＵＬと言う）のデータ（ＵＬデータという）はＵＬ  ｇｒａｎｔと呼ばれる制御信号で割り当てられる。ＦＤＤシステムでは、下り回線（Ｄｏｗｎ  Ｌｉｎｋ；以下、ＤＬと言う）において送信されるＵＬ  ｇｒａｎｔの４サブフレーム後に、ＵＬデータが割り当てられると規定されている。つまり、ＵＬ  ｇｒａｎｔには何サブフレーム後に割り当てるという情報は入っておらず、常に４サブフレーム後を割り当てる。
【０００９】
また、ＬＴＥのＦＤＤシステムでは、ＵＬサブフレームにおいて、ＵＬデータを送信した後、４サブフレーム後にＤＬサブフレームにおいて、ＵＬデータに対するＡＣＫ／ＮＡＣＫを送信することも規定されている。また、ＤＬデータの４サブフレーム後に、ＵＬサブフレームにおいてＤＬデータに対するＡＣＫ／ＮＡＣＫを送信することも規定さている。
【００１０】
上述のように、ＬＴＥでは、ＵＬサブフレームにおいて、ＵＬ  ｇｒａｎｔの４サブフレーム後にＵＬデータを送信し、ＵＬデータの４サブフレーム後に、ＤＬサブフレームにおいて、ＵＬデータに対するＡＣＫ／ＮＡＣＫを送信する。つまり、８ＴＴＩ（Ｔｒａｎｓｍｉｓｓｉｏｎ  Ｔｉｍｅ  Ｉｎｔｅｒｖａｌ）でＵＬデータの送信をすることが規定されている。この規定により、サブフレーム番号の通知が不要となり、オーバヘッドを減らしている。なお、“ＴＴＩ”とは、送信時間の間隔を示す単位であり、ここでは、“１ＴＴＩ＝１サブフレーム”である。
【００１１】
さらに、ＬＴＥでは、ＵＬデータと、ＤＬデータに対するＡＣＫ／ＮＡＣＫが同一のＵＬサブフレームに送信される場合、ＤＬデータに対するＡＣＫ／ＮＡＣＫ信号をＵＬデータに多重して送信することが定められている。これは、ＬＴＥのＵＬデータの送信形態がシングルキャリアであるため、ＵＬデータとＤＬデータに対するＡＣＫ／ＮＡＣＫ信号を同時に別々のキャリアで送信することが困難であるからである。
【００１２】
［バックホールの位置］
ＴＤ  ｒｅｌａｙでは、中継局２０は、基地局１０からの制御信号を、バックホールに設定されているサブフレームのみで受信する。そのため、中継局２０は、「バックホールサブフレームの候補位置」をあらかじめ定めておく。ＤＬの「バックホールサブフレームの候補位置」は、基地局１０が決定して中継局２０に通知することが考えられる。ＤＬの「バックホールサブフレームの候補位置」のうち、実際にバックホールの通信に使用されるかどうかは、基地局１０から送信される中継局２０宛の制御信号で通知される。
【００１３】
また、ＵＬの「バックホールサブフレームの候補位置」は、ＬＴＥと同様のルールを踏襲すると、ＦＤＤシステムでは、「ＤＬサブフレームの４サブフレーム後のサブフレーム」と規定されている。そのため、「ＤＬサブフレームの４サブフレーム後のバックホールサブフレーム」を、ＵＬの「バックホールサブフレーム」に規定できる。ＵＬにおいても、実際にバックホールの通信に使用されるかどうかは、基地局１０から送信される中継局２０宛のＵＬ  ｇｒａｎｔで通知される（非特許文献２参照）。
【先行技術文献】
【非特許文献】
【００１４】
【非特許文献１】Ｒ１−０９４４８４  “ＡＣＫ／ＮＡＣＫ  ｒｅｐｅｔｉｔｉｏｎ  ｒｅｓｏｌｖｉｎｇ  Ｕｐｌｉｎｋ  ＡＣＫ  ｌｏｓｓ  ｐｒｏｂｌｅｍ”
【非特許文献２】Ｒ１−０９４４６４  “Ｒｅｌａｙ  Ｌｉｎｋ  ＨＡＲＱ  Ｏｐｅｒａｔｉｏｎｓ”
【発明の概要】
【発明が解決しようとする課題】
【００１５】
図１６にＬＴＥの規定を適用した場合のＴＤ  ｒｅｌａｙの一例（１）を示す。図１６の縦軸方向は時間軸を示し、符号＃２〜＃７はそれぞれサブフレームを示す。なお、図１６において“１ＴＴＩ”は“１サブフレーム”である。
【００１６】
また、図１６では、基地局１０がＤＬサブフレームにおいてＵＬ  ｇｒａｎｔを送信してから中継局２０がＵＬの信号を基地局１０に送信する間隔（４ＴＴＩ）と、中継局２０がＤＬサブフレームにおいてＵＬ  ｇｒａｎｔを送信してから中継局２０に接続する移動局３０がＵＬの信号を中継局２０に送信する間隔（４ＴＴＩ）が等しい場合を示す（非特許文献１参照）。
【００１７】
図１６に示すように、中継局２０は、たとえ基地局１０からバックホールのサブフレーム＃３においてＵＬ  ｇｒａｎｔがなく、バックホールのＵＬリソースが割り当てられていなくても、サブフレーム＃７をアクセスリンクのＵＬリソースとして使用することができない。なぜならば、サブフレーム＃７で移動局３０がＵＬの信号を送信するためには、サブフレーム＃７の４サブフレーム前のサブフレーム＃３で中継局２０が移動局３０へＵＬ  ｇｒａｎｔを送信する必要があるが、サブフレーム＃３で中継局２０がバックホールＵＬの割り当てを受信するタイミングが、中継局２０に接続する移動局３０へアクセスリンクＵＬの割り当てを送信するタイミングに重なっているからである。その結果、サブフレーム＃３で、中継局２０はＵＬのアクセスリンクにサブフレーム＃７を使用できるかどうか分からない。したがって、アクセスリンクのＵＬリソースが有効に活用できないという課題がある。
【００１８】
本発明の目的は、リソースの利用効率を向上でき、かつ送受信の切換え回数を削減することができる無線通信装置を提供することである。
【課題を解決するための手段】
【００１９】
本発明は、第１サブフレームで他の無線通信装置から、下り回線信号を受信する受信部と、受信した前記下り回線信号の誤り判定結果であるＡＣＫ／ＮＡＣＫを生成するＡＣＫ／ＮＡＣＫ生成部と、第２サブフレームにおける前記他の無線通信装置向けの上り回線信号の割り当てがないとき、前記第１サブフレームよりも所定のサブフレームだけ後であり、かつ、前記第２サブフレームよりも前である第３サブフレームで、他の上り回線信号が割り当てられているかどうかを判断する判断部と、前記判断部が前記第３サブフレームで前記他の上り回線信号が割り当てられていると判断した場合、前記第３サブフレームで前記ＡＣＫ／ＮＡＣＫを、前記他の上り回線信号に多重する多重部と、前記多重部で前記ＡＣＫ／ＮＡＣＫが多重された前記他の上り回線信号を送信する送信部と、を具備する無線通信装置を提供する。
【００２０】
上記無線通信装置では、前記判断部は、前記第１サブフレームよりも前記所定のサブフレームだけ後であり、かつ前記第２のサブフレームよりも前である前記第３サブフレームのうち、前記第１サブフレームに最も近いサブフレームで前記他の上り回線信号が割り当てられているかどうかを判断する。
【００２１】
上記無線通信装置では、前記所定のサブフレームは、当該無線通信装置の処理遅延時間である。
【００２２】
また、本発明は、第１サブフレームで第１の他の無線通信装置から、下り回線信号を受信する受信部と、受信した前記下り回線信号の誤り判定結果である第１のＡＣＫ／ＮＡＣＫを生成するＡＣＫ／ＮＡＣＫ生成部と、第２サブフレームにおける前記第１の他の無線通信装置向けの上り回線信号の割り当てがないとき、前記第２サブフレームよりも後であり、かつ、前記第２サブフレームよりも所定のサブフレームだけ後の第３サブフレーム よりも前の第４サブフレームで、他の上り回線信号又は他の下り回線信号の第２のＡＣＫ／ＮＡＣＫが割り当てられているかどうかを判断する判断部と、前記判断部が前記第４サブフレームで前記他の上り回線信号又は前記他の下り回線信号の前記第２のＡＣＫ／ＮＡＣＫが割り当てられていると判断した場合、前記第４サブフレームで前記第１のＡＣＫ／ＮＡＣＫを、前記他の上り回線信号又は前記他の下り回線信号の前記第２のＡＣＫ／ＮＡＣＫに多重する多重部と、前記多重部で前記第１のＡＣＫ／ＮＡＣＫが多重された前記他の上り回線信号又は前記他の下り回線信号の前記第２のＡＣＫ／ＮＡＣＫを送信する送信部と、を具備する無線通信装置を提供する。
【００２３】
上記無線通信装置は、前記判断部の判断結果に基づき、アクセスリンクに使用できるサブフレームの情報を第２の他の無線通信装置へ通知するための制御信号を生成する制御信号生成部を備える。
【００２４】
上記無線通信装置では、前記所定のサブフレームは、前記無線通信装置の処理遅延時間と、前記第２サブフレームから当該第２サブフレームで送信される上り回線信号に対するＡＣＫ／ＮＡＣＫが送信される第５サブフレームまでの時間との差である。
【００２５】
また、本発明は、第１サブフレームで他の無線通信装置から、下り回線信号を受信し、受信した前記下り回線信号の誤り判定結果であるＡＣＫ／ＮＡＣＫを生成し、第２サブフレームにおける前記他の無線通信装置向けの上り回線信号の割り当てがないとき、前記第１サブフレームよりも所定のサブフレームだけ後であり、かつ、前記第２のサブフレームよりも前である第３サブフレームで、他の上り回線信号が割り当てられているかどうかを判断し、前記第３サブフレームで前記他の上り回線信号が割り当てられていると判断した場合、前記第３サブフレームで前記ＡＣＫ／ＮＡＣＫを、前記他の上り回線信号に多重し、前記ＡＣＫ／ＮＡＣＫが多重された前記他の上り回線信号を送信する、無線通信方法を提供する。
【００２６】
また、本発明は、第１サブフレームで第１の他の無線通信装置から、下り回線信号を受信し、受信した前記下り回線信号の誤り判定結果である第１のＡＣＫ／ＮＡＣＫを生成し、第２サブフレームにおける前記第１の他の無線通信装置向けの上り回線信号の割り当てがないとき、前記第２サブフレームよりも後であり、かつ、前記第２サブフレームよりも所定のサブフレームだけ後の第３サブフレームよりも前の第４サブフレームで、他の上り回線信号又は他の下り回線信号の第２のＡＣＫ／ＮＡＣＫが割り当てられているかどうかを判断し、前記第４サブフレームで前記他の上り回線信号又は前記他の下り回線信号の第２のＡＣＫ／ＮＡＣＫが割り当てられていると判断した場合、前記第４サブフレームで前記第１のＡＣＫ／ＮＡＣＫを、前記他の上り回線信号又は前記他の下り回線信号の前記第２のＡＣＫ／ＮＡＣＫに多重し、前記第１のＡＣＫ／ＮＡＣＫが多重された前記他の上り回線信号又は前記他の下り回線信号の前記第２のＡＣＫ／ＮＡＣＫを送信する、無線通信方法を提供する。
【発明の効果】
【００２７】
本発明に係る無線通信装置及び無線通信方法によれば、リソースの利用効率を向上でき、かつ送受信の切換え回数を削減することができる。
【図面の簡単な説明】
【００２８】
【図１】ＴＤ  ｒｅｌａｙの一例（１）
【図２】ＴＤ  ｒｅｌａｙの一例（２）
【図３】実施の形態１に係るＴＤ  ｒｅｌａｙの一例
【図４】実施の形態１に係る中継局１００の構成を示すブロック図
【図５】中継局１００の動作を示すフローチャート
【図６】図５のフローチャートを説明するための図
【図７】ＴＤ  ｒｅｌａｙの一例（３）
【図８】ＴＤ  ｒｅｌａｙの一例（４）
【図９】実施の形態２に係るＴＤ  ｒｅｌａｙの一例
【図１０】実施の形態２に係る中継局４００の構成を示すブロック図
【図１１】中継局４００の動作を示すフローチャート
【図１２】図１１のフローチャートを説明するための図
【図１３】無線中継システムの概略構成図
【図１４】下り回線のＴＤ  ｒｅｌａｙを示す図
【図１５】上り回線のＴＤ  ｒｅｌａｙを示す図
【図１６】ＬＴＥの規定を適用した場合のＴＤ  ｒｅｌａｙの一例（１）
【発明を実施するための形態】
【００２９】
以下、本発明の実施の形態について、図面を参照して説明する。
【００３０】
（実施の形態１）
図１４、図１５を参照して説明したＴＤ  ｒｅｌａｙにおいて、アクセスリンクのＵＬリソースが有効に活用するために例えば次の方法が考えられる。図１にＴＤ  ｒｅｌａｙの一例（１）を示す。図１の縦軸方向は時間軸を示し、符号＃２〜＃９はそれぞれサブフレームを示す。なお、図１において、“１ＴＴＩ”は“１サブフレーム”である。
【００３１】
図１に示すように、バックホールでは、中継局５０が基地局４０からＵＬ  ｇｒａｎｔを受信してから、中継局５０が基地局４０からＵＬのデータを送信するまでの送信時間間隔および、ＤＬデータからＤＬデータのＡＣＫ／ＮＡＣＫを送信するまでの送信間隔を５ＴＴＩ以上（図１では、６ＴＴＩ）にする。このようにすると、中継局５０がバックホールＵＬの割り当てを受信するタイミング（図１中、サブフレーム＃３）と、中継局５０に接続する移動局６０へアクセスリンクＵＬの割り当てを送信するタイミング（図１中、サブフレーム＃５）との間に時間的な余裕が生じる。そのため、中継局５０は、サブフレーム＃３で基地局４０からＵＬ  ｇｒａｎｔを受信するかどうかがわかった時点で、６ＴＴＩ後のサブフレーム＃９でバックホールのＵＬの割り当てがないことがわかる。
【００３２】
したがって、中継局５０は、ＵＬのバックホールサブフレームであるサブフレーム＃９で基地局４０へ信号を送信するべきか判断し、ＤＬのアクセスリンクサブフレームであるサブフレーム＃５で中継局５０に接続する移動局６０に、サブフレーム＃５から４ＴＴＩ後のＵＬサブフレーム＃９にＵＬのアクセスリンクを割り当てることができる。そのため、図１に示すＴＤ  ｒｅｌａｙでは、中継局５０に接続する移動局６０にアクセスリンクを割り当て可能となり、ＵＬアクセスリンクのリソースの利用効率が向上する。
【００３３】
しかしながら、バックホールにおいて、ＵＬデータの割り当てがない場合でも、サブフレーム＃３でＤＬデータの割り当てがあると、中継局５０は、サブフレーム＃３から６サブフレーム後のサブフレーム＃９で基地局４０にＤＬデータに対するＡＣＫ／ＮＡＣＫを送信する必要がある。図２は、ＴＤ  ｒｅｌａｙの一例（２）を示す。図２の縦軸方向は時間軸を示し、符号＃２〜＃９はそれぞれサブフレームを示す。なお、図２において、“１ＴＴＩ”は“１サブフレーム”である。
【００３４】
図２に示すように、中継局５０はサブフレーム＃９で基地局４０にＤＬデータに対するＡＣＫ／ＮＡＣＫを送信するので、中継局５０はサブフレーム＃９で中継局５０に接続する移動局６０にアクセスリンクのＵＬリソースを割り当てることができない。ＡＣＫ／ＮＡＣＫの信号量はビット数が少ないにもかかわらず、サブフレーム＃９の全てを使用できなってしまうことは、アクセスリンクのＵＬリソース利用効率の観点から好ましくない。
【００３５】
そこで、実施の形態１では、中継局１００は、バックホールＵＬデータ割り当てはないがＤＬデータの割り当てがあるサブフレームに対して、「送信予定であるＤＬデータに対するＡＣＫ／ＮＡＣＫ」を、他のサブフレームのＵＬデータ又は他のＤＬデータに対するＡＣＫ／ＮＡＣＫに多重する。そして、中継局１００は、多重した信号を基地局２００へ送信する。
【００３６】
ここで、中継局１００で、「送信予定であるＤＬデータに対するＡＣＫ／ＮＡＣＫ」を多重化するＵＬのバックホールサブフレームの候補は、中継局１００に対してＤＬデータの割り当てがあり、ＵＬ  ｇｒａｎｔがないＤＬサブフレームから処理遅延（例えば誤り判定、及びＡＣＫ／ＮＡＣＫ信号の生成にかかる時間）後のＵＬサブフレームから、「ＤＬデータに対するＡＣＫ／ＮＡＣＫを送信予定であるＵＬサブフレーム」の１つ前のサブフレームまでの、サブフレームである。
【００３７】
図３は実施の形態１に係るＴＤ  ｒｅｌａｙの一例を示す図である。図３の縦軸方向は時間軸を示し、符号＃１〜＃９はそれぞれサブフレームを示す。なお、図３において、“１ＴＴＩ”は“１サブフレーム”である。また、中継局１００が処理遅延に係る時間を４サブフレームとする。ＤＬデータの割り当てがあるがＵＬ  ｇｒａｎｔのないサブフレームを、サブフレーム＃３とする。ＤＬのサブフレーム＃３に対してＡＣＫ／ＮＡＣＫを送信予定であるＵＬサブフレームを、６ＴＴＩ後のサブフレーム＃９とする。
【００３８】
図３では、中継局１００で「送信予定であるＤＬデータに対するＡＣＫ／ＮＡＣＫ」を多重化するＵＬのバックホールサブフレームの候補は、「サブフレーム＃３の４サブフレーム（遅延処理分）後であるサブフレーム＃７から、ＤＬのサブフレーム＃３に対してＡＣＫ／ＮＡＣＫを送信予定であるサブフレーム＃９の１つ前のサブフレーム＃８までの、サブフレームである。
【００３９】
図３に示す例では、中継局１００がサブフレーム＃７にＵＬデータ（図中、ＵＬ  ｄａｔａ）を基地局２００に送信するので、中継局１００はサブフレーム＃７に「サブフレーム＃３のＤＬデータに対するＡＣＫ／ＮＡＣＫ（図中、ＡＣＫ／ＮＡＣＫ（ＤＬ  ＃３）」を、ＵＬデータ（図中、ＵＬ  ｄａｔａ）及び「サブフレーム＃１のＤＬデータに対するＡＣＫ／ＮＡＣＫ（図中、ＡＣＫ／ＮＡＣＫ（ＤＬ  ＃１）」に多重して基地局２００に送信する。
【００４０】
上述のように、本実施の形態に係る中継局１００は、ＤＬデータに対するＡＣＫ／ＮＡＣＫを他のＵＬサブフレームでＵＬデータに多重する。そのため、バックホールＵＬのサブフレームにおいて、中継局１００が基地局２００に信号を送信しなくて良いサブフレームを設定できる。したがって、アクセスリンクＵＬにおいて、中継局１００が、中継局１００に接続する移動局３００から受信できるアクセスリンクのＵＬのサブフレームを増加することができる。
【００４１】
また、本実施の形態に係る中継局１００は、受信と送信とを切換える回数が減るという利点がある。図３に示す一例では、中継局１００は、サブフレーム＃９で受信と送信とを切換えなくて良い。受信と送信の切換えにはスイッチング区間が必要であり、このスイッチング区間では、中継局１００での受信又は送信のシンボルを犠牲にしなければならない。したがって、中継局１００は、受信と送信とを切換える回数が減ると、送受信できないシンボル数を軽減することできる。
【００４２】
図４を参照し、本実施の形態に係る中継局１００の構成について説明する。図４は、本実施の形態に係る中継局１００の構成を示すブロック図である。
【００４３】
図４に示す中継局１００は、受信アンテナ１０１と、無線受信部１０３と、信号分離部１０５と、ＤＬ復調部１０７と、ＵＬ復調部１０９と、中継局用制御信号受信部１１１と、ＵＬデータ・ＡＣＫ／ＮＡＣＫ多重部１１３と、アクセスリンク用制御信号生成部１１５と、ＵＬ信号割当部１１７と、ＵＬ誤り訂正復号部１１９と、ＤＬ誤り訂正復号部１２１と、ＵＬ誤り訂正符号化部１２３と、誤り判定部１２５と、ＤＬ誤り訂正符号化部１２７と、ＡＣＫ／ＮＡＣＫ生成部１２９と、ＤＬ信号割当部１３１と、ＤＬ変調部１３３と、ＵＬ変調部１３５と、ＵＬデータ・ＡＣＫ／ＮＡＣＫ多重判断部１３７と、無線送信部１３９と、送信アンテナ１４１とを備える。
【００４４】
無線受信部１０３は、基地局２００からの信号を、受信アンテナ１０１を介して受信する。受信した信号は、ダウンコンバート等の無線処理を施し、信号分離部１０５へ出力される。
【００４５】
信号分離部１０５は、無線受信部１０３から入力された信号からＤＬの信号、ＵＬの信号、制御信号を分離する。そして、分離されたＤＬの信号は、ＤＬ復調部１０７へ出力される。分離されたＵＬの信号は、ＵＬ復調部１０９へ出力される。分離された制御信号は、中継局用制御信号受信部１１１へ出力される。
【００４６】
中継局用制御信号受信部１１１では、信号分離部１０５で分離された制御信号のうち、基地局２００から送信される中継局用制御信号を復調・復号する。また、信号分離部１０５で分離された制御信号のうち、ＤＬ用制御信号、及びＵＬ用制御信号は、ＵＬデータ・ＡＣＫ／ＮＡＣＫ多重判断部１３７へ出力される。また、ＵＬ用制御信号は、ＵＬ信号割当部１１７へも出力される。
【００４７】
ＵＬ復調部１０９は、無線受信部１０３から入力されたＵＬ信号を復調し、ＵＬ誤り訂正復号部１１９へ出力する。
【００４８】
ＤＬ復調部１０７は、無線受信部から入力されたＤＬ信号を復調し、ＤＬ誤り訂正復号部１２１へ出力する。
【００４９】
ＵＬ誤り訂正復号部１１９は、ＵＬ復調部１０９から入力された信号を復号し、ＵＬ誤り訂正符号化部１２３、及び誤り判定部１２５へ出力する。
【００５０】
ＤＬ誤り訂正復号部１２１は、ＤＬ復調部１０７から入力された信号を復号し、ＤＬ誤り訂正符号化部１２７、及び誤り判定部１２５へ出力する。
【００５１】
誤り判定部１２５は、入力された信号に誤りがあるかどうかを判定し、その判定結果をＡＣＫ／ＮＡＣＫ生成部１２９へ出力する。
【００５２】
ＡＣＫ／ＮＡＣＫ生成部１２９は、判定結果が誤りであればＮＡＣＫを、判定結果が誤りでなければＡＣＫを生成する。そして、ＡＣＫ／ＮＡＣＫ生成部１２９は、ＤＬ信号の判定結果をＤＬ信号割当部１３１に出力する。ＡＣＫ／ＮＡＣＫ生成部１２９は、ＵＬ信号の判定結果をＵＬデータ・ＡＣＫ／ＮＡＣＫ多重部１１３へ出力する。
【００５３】
ＤＬ誤り訂正復号部１２１から出力された復号済みのＤＬ信号は、ＤＬ誤り訂正符号化部１２７、及びＤＬ変調部１３３での処理を経て、ＤＬ信号割当部１３１へ出力される。
【００５４】
ＵＬ誤り訂正復号部１１９から出力された復号済みのＵＬ信号は、ＵＬ誤り訂正符号化部１２３、及びＵＬ変調部１３５の処理を経て、ＵＬデータ・ＡＣＫ／ＮＡＣＫ多重部１１３へ出力される。
【００５５】
ＵＬデータ・ＡＣＫ／ＮＡＣＫ多重判断部１３７は、ＵＬ用制御信号、及びＤＬ制御信号に基づき、ＵＬ信号とＡＣＫ／ＮＡＣＫとを同一サブフレームで送信するかどうかを判断する。ＵＬデータ・ＡＣＫ／ＮＡＣＫ多重判断部１３７は、ＵＬ信号と、ＡＣＫ／ＮＡＣＫ信号とを同一サブフレームに送信する場合、ＵＬ信号にＡＣＫ／ＮＡＣＫ信号を多重すると判断する。そして、ＵＬ信号と、ＡＣＫ／ＮＡＣＫ信号とを異なるサブフレームに送信する場合、ＵＬ信号にＡＣＫ／ＮＡＣＫ信号を多重しないと判断する。
【００５６】
ＵＬデータ・ＡＣＫ／ＮＡＣＫ多重判断部１３７の判断方法（１）〜（３）について、説明する。
（１）ＤＬサブフレームを割当てられたサブフレーム＃Ｎから、“Ｂ１”サブフレーム後のサブフレーム“＃Ｎ＋Ｂ１”にＵＬデータが割当てられている場合、ＤＬデータに対するＡＣＫ／ＮＡＣＫはＵＬデータに多重されると判断される。なお、ＤＬサブフレームを割当てられたサブフレーム＃Ｎから、“Ｂ１”サブフレーム後のサブフレーム“＃Ｎ＋Ｂ１”にＵＬデータが割当てられているかどうかについて、ＵＬデータ・ＡＣＫ／ＮＡＣＫ多重判断部１３７は、ＵＬのバックホールのサブフレーム“＃Ｎ＋Ｂ１”にＵＬ  ｇｒａｎｔがあるかどうかで判断している。
【００５７】
（２）サブフレーム“＃Ｎ＋Ｂ１”にＵＬデータの割り当てがなく、かつ、サブフレーム“＃Ｎ＋Ｄ”からサブフレーム“＃Ｎ＋Ｂ１−１”にＵＬデータの割り当てがあると、サブフレーム“＃Ｎ＋Ｂ１”に送信予定であったＡＣＫ／ＮＡＣＫをＵＬデータの割り当てがあるサブフレームに多重する。ここで、ＵＬデータにＡＣＫ／ＮＡＣＫが多重化された信号が割り当てられるサブフレームは、サブフレーム“＃Ｎ＋Ｄ”からサブフレーム“＃Ｎ＋Ｂ１−１”までのＵＬのバックホールサブフレームの一つである。
【００５８】
（３）サブフレーム“＃Ｎ＋Ｄ”からサブフレーム“＃Ｎ＋Ｂ１−１”にＵＬデータの割り当てがなく、かつ、ＤＬデータに対するＡＣＫ／ＮＡＣＫの送信がある場合、サブフレーム“＃Ｎ＋Ｂ１”に送信予定であったＡＣＫ／ＮＡＣＫを、ＡＣＫ／ＮＡＣＫを送信予定であるサブフレームに多重する。ここで、ＡＣＫ／ＮＡＣＫを送信予定であるサブフレームは、サブフレーム“＃Ｎ＋Ｄ”からサブフレーム“＃Ｎ＋Ｂ１−１”までのＵＬのバックホールサブフレームの一つである。そして、ＵＬデータ・ＡＣＫ／ＮＡＣＫ多重判断部１３７での判断結果は、ＵＬデータ・ＡＣＫ／ＮＡＣＫ多重部１１３、及びアクセスリンク用制御信号生成部１１５へ出力される。
【００５９】
ＵＬデータ・ＡＣＫ／ＮＡＣＫ多重部１１３は、ＵＬデータ・ＡＣＫ／ＮＡＣＫ多重判断部１３７から入力されたで判断結果に基づき、ＡＣＫ／ＮＡＣＫ信号をＵＬデータ又はＡＣＫ／ＮＡＣＫ信号に多重し、多重化したＵＬ信号を、ＵＬ信号割当部１１７へ出力する。また、ＵＬデータ・ＡＣＫ／ＮＡＣＫ多重部１１３は、ＡＣＫ／ＮＡＣＫ信号を、ＵＬデータ又はＡＣＫ／ＮＡＣＫ信号に多重する必要ない場合、ＵＬデータ又はＡＣＫ／ＮＡＣＫ信号を、そのままＵＬ信号割当部１１７へ出力する。
【００６０】
ＵＬ信号割当部１１７は、ＵＬ信号のうち、ＵＬデータをＵＬ用制御信号で指定されたリソースに割当てる。また、ＵＬ信号割当部１１７は、ＵＬ信号のうち、ＵＬデータと多重化されていないＡＣＫ／ＮＡＣＫ信号をＵＬ制御用信号のリソースに割当て、無線送信部１３９へ出力する。
【００６１】
アクセスリンク用制御信号生成部１１５は、ＵＬ信号ＡＣＫ／ＮＡＣＫ多重判断部１３７の判断結果に基づき、アクセスリンクに使用できるサブフレームを追加し、移動局３００向けに送信する制御信号を生成し、その移動局３００向け制御信号をＤＬ信号割当部１３１へ出力する。
【００６２】
ＤＬ信号割当部１３１は、ＤＬ信号、ＡＣＫ／ＮＡＣＫ信号、及び移動局３００向け制御信号を、アクセスリンクのリソースに割り当て、無線送信部１３９へ出力する。
【００６３】
無線送信部１３９は、ＤＬ信号割当部１３１から出力された、ＤＬ信号、ＡＣＫ／ＮＡＣＫ信号、及び移動局３００向け制御信号をアップコンバート等の無線処理を施し、送信アンテナ１４１を介して、移動局３００へ送信する。
【００６４】
図５は、本実施の形態に係る中継局１００の動作を示すフローチャートである。図５に示すフローチャートを用いて、中継局１００の動作を説明する。なお、図５に示すフローチャートでは、下記変数を使用して説明する。これらの変数は、図６に示すＴＤ  ｒｅｌａｙのフロー図の一例を参照して説明する。図６の縦軸方向は時間軸を示す。自然数である変数Ｂ１は基地局２００と中継局１００との間で共通で認識されている場合、可変となる場合もある。なお、図６において、“１ＴＴＩ”は“１サブフレーム”である。
【００６５】
図６に示すように、符号“＃Ｎ”は、「ＤＬバックホールの候補サブフレーム」である。つまり、サブフレーム＃Ｎが「ＤＬバックホールの候補サブフレーム」の一つである。符号“＃Ｎ＋Ｂ１”は、「ＤＬバックホール＃Ｎで送信されるＵＬ  ｇｒａｎｔが割り当てるＵＬサブフレーム」を示す。つまり、「ＤＬバックホールの候補サブフレーム」であるサブフレーム＃Ｎの“Ｂ１”サブフレーム後のサブフレームが、サブフレーム“＃Ｎ＋Ｂ１”である。また、符号“Ｄ”は、ＤＬデータ（図中、ＤＬ  ｄａｔａと表記）又はＵＬ  ｇｒａｎｔ割当からＵＬデータ（図中、ＵＬ  ｄａｔａと表記）又はＡＣＫ／ＮＡＣＫを送信するまでの処理遅延に要する時間間隔を示す。
【００６６】
Ｓｔｅｐ５０１では、ＤＬサブフレームであるサブフレーム＃Ｎ（ＤＬバックホールの候補サブフレーム）に、バックホールＵＬのＵＬ  ｇｒａｎｔがあるかどうかを判断する。なお、図５中、サブフレーム＃Ｎを“ＤＬ  ＃Ｎ”と表記している。サブフレーム＃ＮにバックホールＵＬのＵＬ  ｇｒａｎｔがある場合（Ｙｅｓ）、Ｓｔｅｐ５０２へ遷移し、なければ（Ｎｏ）Ｓｔｅｐ５０３へ遷移する。
【００６７】
Ｓｔｅｐ５０２では、ＵＬサブフレーム“＃Ｎ＋Ｂ１”（図５中、“ＵＬ  ＃Ｎ+Ｂ１”と表記）でＵＬデータが送信される。
【００６８】
Ｓｔｅｐ５０３では、ＤＬサブフレームであるサブフレーム＃ＮにバックホールＤＬデータの割り当てがあるかどうか判定される。ないと判定されるとＳｔｅｐ５０４へ、あると判定されるとＳｔｅｐ５０５へ遷移する。
【００６９】
Ｓｔｅｐ５０４では、ＵＬサブフレームであるサブフレーム“＃Ｎ＋Ｂ１”（図５中、 “ＵＬ  ＃Ｎ+Ｂ１”と表記）をアクセスリンクに割り当て可能となる。
【００７０】
Ｓｔｅｐ５０５では、サブフレーム“＃Ｎ＋Ｄ”（図５中、“＃Ｎ＋Ｄ”と表記）からサブフレーム“＃Ｎ＋Ｂ１”（図５中、“＃Ｎ＋Ｂ１”と表記）より前までのサブフレーム＃Ｍ（図５中、＃Ｍと表記）で、バックホールＵＬデータが割り当てられているサブフレームがあるかどうか判断される。割り当てられていればＳｔｅｐ５０６へ、割り当てられてなければＳｔｅｐ５０７へ遷移する。なお、サブフレーム“＃Ｎ＋Ｄ”は、サブフレーム＃Ｎから、図６を参照して説明した遅延処理にかかる時間間隔に相当する“Ｄ”サブフレーム分後のサブフレームである。また、サブフレーム“＃Ｎ＋Ｂ１”は、サブフレーム＃Ｎの“Ｂ１”サブフレーム後のサブフレームである。
【００７１】
Ｓｔｅｐ５０６では、Ｓｔｅｐ５０５でＵＬデータが割り当てられていると判断されたサブフレーム＃Ｍのうち、サブフレーム“＃Ｎ＋Ｂ１”に最も近いサブフレームであるサブフレーム＃Ｍ１（図５中、“ＵＬ  ＃Ｍ１”と表記）に、ＤＬデータに対するＡＣＫ／ＮＡＣＫ（図５中、ＡＣＫ／ＮＡＣＫ（ＤＬ  ＃Ｎ）と表記）が多重される。そして、Ｓｔｅｐ５０４へ遷移する。
【００７２】
Ｓｔｅｐ５０７では、サブフレーム“＃Ｎ＋Ｄ”からサブフレーム“＃Ｎ＋Ｂ”より前までのサブフレーム＃Ｍ（図５中、＃Ｍと表記）で、ＤＬデータに対するＡＣＫ／ＮＡＣＫを基地局２００送信するかどうか判断する。ＡＣＫ／ＮＡＣＫを送信するかどうかは、サブフレーム“＃Ｎ＋Ｄ−Ｂ１”からサブフレーム“＃Ｎ−１”で、「ＤＬデータが割り当てられているが、ＵＬ  ｇｒａｎｔが割り当てられていないサブフレーム」があるかどうかで判断できる。すでに、Ｓｔｅｐ５０５でＵＬデータがないことを判断しているので、Ｓｔｅｐ５０７では、サブフレーム“＃Ｎ＋Ｄ−Ｂ１”からサブフレーム“＃Ｎ−１”で、ＤＬデータが割り当てられているかどうかを判断すればよい。サブフレーム“＃Ｎ＋Ｄ−Ｂ１”からサブフレーム“＃Ｎ−１”において、ＤＬデータが割り当てられていればＳｔｅｐ５０８へ、割り当てられてなければＳｔｅｐ５０９へ遷移する。
【００７３】
Ｓｔｅｐ５０８では、Ｓｔｅｐ５０７でＤＬデータに対するＡＣＫ／ＮＡＣＫが割り当てられていると判断されたサブフレーム＃Ｍのうち、サブフレーム“＃Ｎ＋Ｂ１”に最も近いサブフレームであるサブフレーム＃Ｍ２（図５中、“ＵＬ  ＃Ｍ２”と表記）に、ＤＬデータに対するＡＣＫ／ＮＡＣＫが多重される。そして、Ｓｔｅｐ５０４に遷移する。
【００７４】
Ｓｔｅｐ５０９では、ＵＬのサブフレームであるサブフレーム“＃Ｎ＋Ｂ１”（図中、 “ＵＬ  ＃Ｎ+Ｂ１”と表記）にＡＣＫ／ＮＡＣＫを送信する。
【００７５】
なお、Ｓｔｅｐ５０６又はＳｔｅｐ５０８で、該当サブフレームが複数存在する場合、サブフレーム“＃Ｎ＋Ｂ１”に最も近いサブフレームを選択したが、例えば、最も遠いサブフレームを選択するとしてもよい。サブフレーム“＃Ｎ＋Ｂ１”に最も近いサブフレームを選択すると、中継局１００の処理時間に余裕ができる。また、サブフレーム“＃Ｎ＋Ｂ１”に最も遠いサブフレームを選択すると、基地局２００の処理時間に余裕ができる。そのため、さらに、後方のバックホールのサブフレームの割り当てによって、変更が生じる確率が少ない。
【００７６】
（実施の形態２）
実施の形態２では、中継局４００に対して、バックホールにおけるＤＬデータ、及びＵＬの割当も無いことでアクセスリンクに空きがあったとしても、中継局４００に接続する移動局６００に対するアクセスリンクのＵＬリソースの割り当てが間に合わずに、アクセスリンクのＵＬリソースを有効に活用できないという課題を、中継局４００が「使用可能通知」を移動局６００へ送信することで解決する。
【００７７】
中継局４００は、移動局６００に割り当て可能かどうか分からないサブフレームについて、前もって割り当てを行い、実際に割り当て可能であることが分かると、移動局６００に「使用可能通知」を送信する。
【００７８】
移動局６００は、中継局４００から「使用可能通知」を受信すると中継局４００に信号を送信し、中継局４００から「使用可能通知」を受信しなければ信号の送信を中止する。このようにすると、空きリソースを有効に活用することができるので、リソースの利用効率が向上する。
【００７９】
図７、図８、図９を参照して、実施の形態２に係るＴＤ  ｒｅｌａｙの動作を説明する。図７はＴＤ  ｒｅｌａｙの一例（３）を示す図である。図７の縦軸方向は時間軸を示し、符号＃２〜＃８はそれぞれサブフレームを示す。図７において、“１ＴＴＩ”は“１サブフレーム”である。なお、図７に示す例では、バックホール、アクセスリンクともにＤＬの４サブフレーム後にＵＬを割り当てるとする。
【００８０】
バックホールのサブフレーム＃３で、中継局４００が接続する基地局５００は、中継局４００に対してＤＬデータ、及びサブフレーム＃７のＵＬ（上り回線）割り当て情報（ＵＬ  ｇｒａｎｔ）を送信していない。そのため、同サブフレーム＃３で、中継局４００は、サブフレーム＃７で基地局５００にＵＬデータを送信する必要があるかどうか分からない状態で、移動局６００にサブフレーム＃７でＵＬを割り当てる。
【００８１】
その後、中継局４００は、バックホールのサブフレーム＃３でＵＬ  ｇｒａｎｔを受信しなかったことで、サブフレーム＃７で基地局５００にＵＬデータ送信する必要がないことが分かる。その結果、中継局４００は、同じサブフレーム＃７をアクセスリンクに使用できると分かるので、サブフレーム＃５で、サブフレーム＃７をアクセスリンクに使用できることを移動局６００に通知するための「使用可能通知」を、移動局６００へ送信することができる。
【００８２】
移動局６００は、サブフレーム＃３でＵＬ割り当て情報（ＵＬ  ｇｒａｎｔ）を中継局４００から受信すると、サブフレーム＃７で送信するＵＬデータの送信準備を開始する。その後、移動局６００は、サブフレーム＃５で中継局４００から「使用可能通知」を受信すると、サブフレーム＃７でＵＬデータを中継局４００へ送信する。
【００８３】
図７に示す例では、移動局６００がＵＬデータを中継局４００へ送信する例を示したが、送信しない場合もある。例えば、中継局４００は、（１）サブフレーム＃７にＵＬデータの割り当てがある場合、又は（２）サブフレーム＃３で基地局５００からＤＬデータを受信してサブフレーム＃７でＤＬデータに対するＡＣＫ／ＮＡＣＫを送信する必要がある場合、中継局４００は「使用可能通知」を移動局６００へ送信しない。そのため、移動局６００は中継局４００から「使用可能通知」を受信しないので、移動局６００はサブフレーム＃７で中継局４００へＵＬデータを送信しない。
【００８４】
そこで、移動局６００がＵＬデータを中継局４００へ送信しない場合について、図８を参照して説明する。図８はＴＤ  ｒｅｌａｙの一例（４）である。図８の縦軸方向は時間軸を示し、符号＃２〜＃８はそれぞれサブフレームを示す。図８において、“１ＴＴＩ”は“１サブフレーム”である。なお、図８に示す例では、バックホール、アクセスリンクともにＤＬの４サブフレーム後にＵＬを割り当てるとする。
【００８５】
図８に示すように、中継局４００は、サブフレーム＃３で基地局５００からＤＬデータを受信すると、サブフレーム＃７で基地局５００へＤＬデータに対するＡＣＫ／ＮＡＣＫを送信する必要がある。そのため、中継局４００は「使用可能通知」を移動局６００へ送信しない。したがって、中継局４００がＤＬデータに対するＡＣＫ／ＮＡＣＫのみをサブフレーム＃７に送信する場合でも、中継局４００はアクセスリンクのサブフレーム＃７のＵＬデータの送信を止めなければならない。図８に示す例では、中継局４００が基地局５００へ送信するＡＣＫ／ＮＡＣＫの信号量はビット数が少ないにもかかわらず、サブフレーム＃７全てを使用できない。これは、アクセスリンクのＵＬリソース利用効率の観点から好ましくない。
【００８６】
そこで、本実施の形態２では、中継局４００は、実施の形態１と同様、バックホールＵＬデータ割り当てはないがＤＬデータの割り当てがあるサブフレームに対して、送信予定であるＤＬデータに対するＡＣＫ／ＮＡＣＫを、他のサブフレームのＵＬデータ又は他のＤＬデータに対するＡＣＫ／ＮＡＣＫに多重する。ただし、「中継局４００で送信予定であるＤＬデータに対するＡＣＫ／ＮＡＣＫを多重する、ＵＬのバックホールサブフレームの候補」は、実施の形態１のそれとは異なる。
【００８７】
図９を参照して、実施の形態２に係るＴＤ  ｒｅｌａｙについて説明する。図９は、実施の形態２に係るＴＤ  ｒｅｌａｙの一例を示す図である。なお、図９において、“１ＴＴＩ”は“１サブフレーム”である。図９において、中継局４００が処理遅延に係る時間を４サブフレーム（“４ＴＴＩ”）とする。また、図９において、ＤＬデータの割り当てがあるがＵＬ  ｇｒａｎｔのないサブフレームをサブフレーム＃１とする。ＤＬのサブフレーム＃１に対して、ＤＬデータのＡＣＫ／ＮＡＣＫを送信する予定であるサブフレームを、４ＴＴＩ後のサブフレーム＃５とする（図中、破線の矢印）。
【００８８】
さらに、図９において、バックホールのサブフレームのＤＬにおけるＲＲＴ（Ｒｏｕｎｄ  ｔＲｉｐ  Ｔｉｍｅ）を１０ＴＴＩとする。つまり、バックホールにおいて、基地局５００がＤＬでＵＬデータの送信を指定して（たとえば、図９中、サブフレーム＃２）から４ＴＴＩ後（たとえば、図９中、サブフレーム＃６）に中継局４００から基地局５００へＵＬデータを送信する。さらに、ＵＬデータの送信から６ＴＴＩ後に、ＤＬでＡＣＫ／ＮＡＣＫを送信する。
【００８９】
図９に示すように、ＤＬのサブフレーム＃１の５サブフレーム後のサブフレームであるサブフレーム＃６と、ＤＬのサブフレーム＃１の６サブフレーム後のサブフレームであるサブフレーム＃７とが、「中継局４００で送信予定であるＤＬデータに対するＡＣＫ／ＮＡＣＫを多重する、ＵＬのバックホールサブフレームの候補」となる。（なお、多重するＵＬのバックホールサブフレームの候補の決め方は、図１１を参照）。「中継局４００で送信予定であるＤＬデータに対するＡＣＫ／ＮＡＣＫを多重化するＵＬのバックホールサブフレームの候補」をサブフレーム＃６及びサブフレーム＃７にすれば、たとえサブフレーム＃１に再送が発生し、中継局４００が処理遅延を実行するのに４ＴＴＩかかっても、サブフレーム＃１のＤＬデータの再送に間に合う。
【００９０】
図９に示す例では、バックホールのサブフレーム＃６にＵＬデータの送信があるので、中継局４００は、サブフレーム＃６でＵＬデータにＤＬデータに対するＡＣＫ／ＮＡＣＫを多重して基地局５００へ送信する。
【００９１】
上述のように、本実施の形態に係る中継局４００は、ＤＬデータに対するＡＣＫ／ＮＡＣＫを、他のＵＬのサブフレームでＵＬデータに多重する。そのため、バックホールのＵＬのサブフレームにおいて、中継局４００が基地局５００に信号を送信しなくて良いサブフレームを設定できる。そのため、本実施の形態では、中継局４００が中継局４００に接続する移動局６００から受信できるアクセスリンクのＵＬのサブフレームを、増加させることができる。
【００９２】
また、本実施の形態に係る中継局４００は、受信と送信とを切換える回数が減るという利点がある。図９に示す例では、中継局４００は、サブフレーム＃５で受信と送信とを切換えなくて良い。受信と送信の切換えにはスイッチング区間が必要であり、このスイッチング区間では、中継局４００での受信又は送信のシンボルを犠牲にしなければならない。したがって、中継局４００は、受信と送信とを切換える回数が減ると、送受信できないシンボル数を軽減することできる。
【００９３】
図１０を参照し、本実施の形態に係る中継局４００の構成について説明する。図１０は、本実施の形態に係る中継局４００の構成を示すブロック図である。図１０に示す中継局４００は、受信アンテナ１０１と、無線受信部１０３と、信号分離部１０５と、ＤＬ復調部１０７と、ＵＬ復調部１０９と、中継局用制御信号受信部１１１と、ＵＬデータ・ＡＣＫ／ＮＡＣＫ多重部４１３と、アクセスリンク用制御信号生成部４１５と、ＵＬ信号割当部１１７と、ＵＬ誤り訂正復号部１１９と、ＤＬ誤り訂正復号部１２１と、ＵＬ誤り訂正符号化部１２３と、誤り判定部１２５と、ＤＬ誤り訂正符号化部１２７と、ＡＣＫ／ＮＡＣＫ生成部１２９と、ＤＬ信号割当部１３１と、ＤＬ変調部１３３と、ＵＬ変調部１３５と、ＵＬデータ・ＡＣＫ／ＮＡＣＫ多重判断部４３７と、無線送信部１３９と、送信アンテナ１４１とを備える。
【００９４】
図１０に示す中継局４００の構成が図４に示す中継局１００と異なるのは、ＵＬデータ・ＡＣＫ／ＮＡＣＫ多重判断部１３７、ＵＬ信号・ＡＣＫ／ＮＡＣＫ多重部１１３および、アクセスリンク用制御信号生成部１１５の代わりに、ＵＬデータ・ＡＣＫ／ＮＡＣＫ多重判断部４３７、ＵＬ信号・ＡＣＫ／ＮＡＣＫ多重部４１３および、アクセスリンク用制御信号生成部４１５を備える点である。それ以外については同じ構成なので、同一符号を付す。
【００９５】
無線受信部１０３は、基地局２００からの信号を、受信アンテナ１０１を介して受信する。受信した信号は、ダウンコンバート等の無線処理を施し、信号分離部１０５へ出力される。
【００９６】
信号分離部１０５は、無線受信部１０３から入力された信号からＤＬの信号、ＵＬの信号、制御信号を分離する。そして、分離されたＤＬの信号は、ＤＬ復調部１０７へ出力される。分離されたＵＬの信号は、ＵＬ復調部１０９へ出力される。分離された制御信号は、中継局用制御信号受信部１１１へ出力される。
【００９７】
中継局用制御信号受信部１１１では、信号分離部１０５で分離された制御信号のうち、基地局２００から送信される中継局用制御信号を復調・復号する。また、信号分離部１０５で分離された制御信号のうち、ＤＬ用制御信号、及びＵＬ用制御信号は、ＵＬデータ・ＡＣＫ／ＮＡＣＫ多重判断部１３７へ出力される。また、ＵＬ用制御信号は、ＵＬ信号割当部１１７へも出力される。
【００９８】
ＵＬ復調部１０９は、無線受信部１０３から入力されたＵＬ信号を復調し、ＵＬ誤り訂正復号部１１９へ出力する。
【００９９】
ＤＬ復調部１０７は、無線受信部から入力されたＤＬ信号を復調し、ＤＬ誤り訂正復号部１２１へ出力する。
【０１００】
ＵＬ誤り訂正復号部１１９は、ＵＬ復調部１０９から入力された信号を復号し、ＵＬ誤り訂正符号化部１２３、及び誤り判定部１２５へ出力する。
【０１０１】
ＤＬ誤り訂正復号部１２１は、ＤＬ復調部１０７から入力された信号を復号し、ＤＬ誤り訂正符号化部１２７、及び誤り判定部１２５へ出力する。
【０１０２】
誤り判定部１２５は、入力された信号に誤りがあるかどうかを判定し、その判定結果をＡＣＫ／ＮＡＣＫ生成部１２９へ出力する。
【０１０３】
ＡＣＫ／ＮＡＣＫ生成部１２９は、判定結果が誤りであればＮＡＣＫを、判定結果が誤りでなければＡＣＫを生成する。そして、ＡＣＫ／ＮＡＣＫ生成部１２９は、ＤＬ信号の判定結果をＤＬ信号割当部１３１に出力する。ＡＣＫ／ＮＡＣＫ生成部１２９は、ＵＬ信号の判定結果をＵＬデータ・ＡＣＫ／ＮＡＣＫ多重部４１３へ出力する。
【０１０４】
ＤＬ誤り訂正復号部１２１から出力された復号済みのＤＬ信号は、ＤＬ誤り訂正符号化部１２７、及びＤＬ変調部１３３での処理を経て、ＤＬ信号割当部１３１へ出力される。
【０１０５】
ＵＬ誤り訂正復号部１１９から出力された復号済みのＵＬ信号は、ＵＬ誤り訂正符号化部１２３、及びＵＬ変調部１３５の処理を経て、ＵＬデータ・ＡＣＫ／ＮＡＣＫ多重部４１３へ出力される。
【０１０６】
ＵＬデータ・ＡＣＫ／ＮＡＣＫ多重判断部４３７は、ＵＬ用制御信号、及びＤＬ制御信号に基づき、ＵＬ信号とＡＣＫ／ＮＡＣＫとを同一サブフレームで送信するかどうかを判断する。ＵＬデータ・ＡＣＫ／ＮＡＣＫ多重判断部４３７は、ＵＬ信号と、ＡＣＫ／ＮＡＣＫ信号とを同一サブフレームに送信する場合、ＵＬ信号にＡＣＫ／ＮＡＣＫ信号を多重すると判断する。そして、ＵＬ信号と、ＡＣＫ／ＮＡＣＫ信号とを異なるサブフレームに送信する場合、ＵＬ信号にＡＣＫ／ＮＡＣＫ信号を多重しないと判断する。
【０１０７】
ＵＬデータ・ＡＣＫ／ＮＡＣＫ多重判断部４３７の判断方法（１）〜（３）について説明する。ＵＬデータとＡＣＫ／ＮＡＣＫとを同一サブフレームに送信するかどうかは、ＵＬ用制御信号、及びＤＬ制御信号から判断する。
（１）ＤＬサブフレームを割当てられたサブフレーム＃Ｎから、“Ｂ１”サブフレーム後のサブフレーム“＃Ｎ＋Ｂ１”にＵＬデータが割当てられている場合、ＤＬデータに対するＡＣＫ／ＮＡＣＫがＵＬデータに多重されると判断される。
【０１０８】
（２）サブフレーム“＃Ｎ＋Ｂ１”にＵＬデータの割り当てがなく、かつ、サブフレーム“＃Ｎ＋Ｂ１＋１”からサブフレーム“＃Ｎ＋Ｂ１＋Ｂ２−Ｄ”にＵＬデータの割り当てがある場合、サブフレーム“＃Ｎ＋Ｂ１”に送信予定であったＤＬに対するＡＣＫ／ＮＡＣＫを、ＵＬデータの割り当てがあるサブフレームで多重する。ここで、ＵＬデータにＡＣＫ／ＮＡＣＫが多重化された信号が割り当てられるサブフレームは、サブフレーム“＃Ｎ＋Ｂ１＋１”からサブフレーム“＃Ｎ＋Ｂ１＋Ｂ２−Ｄ”の一つである。
【０１０９】
（３）サブフレーム“＃Ｎ＋Ｂ１＋１”からサブフレーム“＃Ｎ＋Ｂ１＋Ｂ２−Ｄ”にＵＬデータの割り当てがなく、かつＤＬデータに対するＡＣＫ／ＮＡＣＫの送信がある場合、サブフレーム“＃Ｎ＋Ｂ１”に送信予定であったＡＣＫ／ＮＡＣＫを、ＡＣＫ・ＮＡＣＫを送信予定であるサブフレームで多重する。ここで、ＡＣＫ／ＮＡＣＫを送信予定であるサブフレームは、サブフレーム“＃Ｎ＋Ｂ１＋１”からサブフレーム“＃Ｎ＋Ｂ１＋Ｂ２−Ｄ”までのＵＬのバックホールサブフレームの一つである。そして、ＵＬデータ・ＡＣＫ／ＮＡＣＫ多重判断部４３７での判断結果は、ＵＬデータ・ＡＣＫ／ＮＡＣＫ多重部４１３、及びアクセスリンク用制御信号生成部１１５へ出力される。
【０１１０】
ＵＬ信号・ＡＣＫ／ＮＡＣＫ多重部４１３は、ＵＬデータ・ＡＣＫ／ＮＡＣＫ多重判断部４３７から入力されたで判断結果に基づき、ＵＬデータとＡＣＫ／ＮＡＣＫ信号とを同一サブフレームで送信する場合、ＵＬデータにＡＣＫ／ＮＡＣＫ信号を多重し、多重化したＵＬ信号を、ＵＬ信号割当部１１７へ出力する。また、ＵＬ信号・ＡＣＫ／ＮＡＣＫ多重部４１３は、ＵＬデータ・ＡＣＫ／ＮＡＣＫ多重判断部４３７から入力されたで判断結果に基づき、ＵＬデータを送信するサブフレームとは異なるサブフレームでＡＣＫ／ＮＡＣＫ信号を送信する場合、多重はしない。
【０１１１】
ＵＬ信号割当部１１７は、ＵＬ信号のうち、ＵＬデータをＵＬ用制御信号で指定されたリソースに割当てる。また、ＵＬ信号割当部１１７は、ＵＬ信号のうち、ＵＬデータと多重化されていないＡＣＫ／ＮＡＣＫ信号をＵＬ制御用信号のリソースに割当て、無線送信部１３９へ出力する。
【０１１２】
アクセスリンク用制御信号生成部４１５は、ＵＬ信号ＡＣＫ／ＮＡＣＫ多重判断部４３７の判断結果に基づき、アクセスリンクに使用できるサブフレームを追加する。そして、アクセスリンク用制御信号生成部４１５は、アクセスリンクに使用できるサブフレームの情報を示す「使用可能通知信号」を含む移動局６００向け制御信号、及びを生成し、ＤＬ信号割当部１３１へ出力する。
【０１１３】
［使用可能通知信号］
ここで、中継局４００から移動局６００へ送信される「使用可能通知信号」は、ＰＤＣＣＨリソース（１ＣＣＥは３６ＲＥ）で送付される。ＰＤＣＣＨリソースのうち、ｃｏｍｍｏｎ  ｓｅａｒｃｈ  ｓｐａｃｅに配置することで、複数の移動局が同時に受信することができる。また、中継局４００に接続している移動局用に新たにＣｏｍｍｏｎ  ｓｅａｒｃｈ  ｓｐａｃｅ  を設置してもよい。Ｃｏｍｍｏｎ  ｓｅａｒｃｈ  ｓｐａｃｅを使用すると、ブラインドディコーディング回数が少ないので，使用可能通知を直前（１サブフレーム前）に送信できる。
【０１１４】
また、中継局４００から移動局６００へ送信される「使用可能通知信号」は、ＰＨＩＣＨ  リソース  （１ＰＨＩＣＨ  ｇｒｏｕｐ  は１２ＲＥで構成される。ＡＣＫ／ＮＡＣＫを８個多重可能）で送付されても良い。この場合、ＰＨＩＣＨグループにスケジューリングで空きを設ければ１つのＰＨＩＣＨグループを使用することも可能である。
【０１１５】
ＤＬ信号割当部１３１は、ＤＬ信号、ＡＣＫ／ＮＡＣＫ信号、及び移動局６００向け制御信号を、アクセスリンクのリソースに割り当て、無線送信部１３９へ出力する。
【０１１６】
無線送信部１３９は、ＤＬ信号割当部１３１から出力された、ＤＬ信号、ＡＣＫ／ＮＡＣＫ信号、及び移動局６００向け制御信号をアップコンバート等の無線処理を施し、送信アンテナ１４１を介して、移動局６００へ送信する。
【０１１７】
図１１は、本実施の形態に係る中継局４００の動作を示すフローチャートである。図１１に示すフローチャートを用いて、中継局４００の動作を説明する。なお、図１１に示すフローチャートでは、下記変数を使用して説明する。これらの変数は、図１２に示すＴＤ  ｒｅｌａｙのフロー図の一例を参照して説明する。図１２の縦軸方向は時間軸を示す。なお、図１２において、“１ＴＴＩ”は“１サブフレーム”である。
【０１１８】
図１２に示すように、符号“＃Ｎ”は、「ＤＬバックホールの候補サブフレーム」である。つまり、サブフレーム＃Ｎが「ＤＬバックホールの候補サブフレーム」の一つである。符号“＃Ｎ＋Ｂ１”は、「ＤＬバックホールのサブフレーム＃Ｎで送信されるＵＬ  ｇｒａｎｔが割り当てるＵＬサブフレーム」を示す。つまり、「ＤＬバックホールの候補サブフレーム」であるサブフレーム＃Ｎの“Ｂ１”サブフレーム後のサブフレームが、サブフレーム“＃Ｎ＋Ｂ１”である。ただし、変数Ｂ１は基地局５００と中継局４００との間で共通で認識されている場合、可変となる場合もある。符号“＃Ｎ＋Ｂ１＋Ｂ２”は、サブフレーム“＃Ｎ+Ｂ１”の“Ｂ２”サブフレーム後のサブフレームであり、サブフレーム“＃Ｎ＋Ｂ１”で送信されたＵＬデータに対するＡＣＫ／ＮＡＣＫを送信するバックホールＤＬサブフレームである。符号“Ｄ”は、ＤＬデータ又はＵＬ  ｇｒａｎｔ割当から、ＵＬデータ又はＡＣＫ／ＮＡＣＫを送信するまでの処理遅延に要する時間間隔を示す。
【０１１９】
Ｓｔｅｐ１１０１では、ＤＬサブフレームであるサブフレーム＃Ｎ（「ＤＬバックホールの候補サブフレーム」）に、バックホールＵＬのＵＬ  ｇｒａｎｔがあるかどうかを判断する。なお、図１１中、サブフレーム＃Ｎを“ＤＬ  ＃Ｎ”と表記している。サブフレーム＃ＮにバックホールＵＬのＵＬ  ｇｒａｎｔがある場合（Ｙｅｓ）、Ｓｔｅｐ１１０２へ遷移し、なければ（Ｎｏ）、Ｓｔｅｐ１１０３へ遷移する。
【０１２０】
Ｓｔｅｐ１１０２では、ＵＬサブフレームであるサブフレーム“＃Ｎ＋Ｂ１” （図１１中、“ＵＬ  ＃Ｎ+Ｂ１”と表記）でＵＬデータが送信される。
【０１２１】
Ｓｔｅｐ１１０３では、ＤＬサブフレームであるサブフレーム＃ＮにバックホールＤＬデータの割り当てがあるかどうか判断される。ないと判断されるとＳｔｅｐ１１０４へ、あると判断されるとＳｔｅｐ１１０５へ遷移する。
【０１２２】
Ｓｔｅｐ１１０４では、ＵＬサブフレームであるサブフレーム“＃Ｎ＋Ｂ１”（同Ｓｔｅｐ中、“ＵＬ  ＃Ｎ+Ｂ１”と表記）をアクセスリンクに割り当て可能とする「使用可能通知」が移動局６００へ送信される。
【０１２３】
Ｓｔｅｐ１１０５では、サブフレーム“＃Ｎ＋Ｂ１”より１つ後方のサブフレームから、サブフレーム“＃Ｎ＋Ｂ１＋Ｂ２−Ｄ”（図１１中、“＃Ｎ＋Ｂ１＋Ｂ２−Ｄ”と表記）までのサブフレーム＃Ｍ（図１１中、＃Ｍと表記）で、バックホールのＵＬデータが割り当てられているか判断し、割り当てられていればＳｔｅｐ１１０６へ、割り当てられてなければＳｔｅｐ１１０７へ遷移する。なお、サブフレーム“＃Ｎ＋Ｂ１+Ｂ２-Ｄ”は、サブフレーム“＃Ｎ+Ｂ１+Ｂ２”から、図１１を参照して説明した遅延処理にかかる時間間隔に相当する“Ｄ”サブフレーム分後のサブフレームである。
【０１２４】
Ｓｔｅｐ１１０６では、Ｓｔｅｐ１１０５でＵＬデータが割り当てられていると判断されたサブフレーム＃Ｍのうち、サブフレーム“＃Ｎ＋Ｂ１”に最も近いサブフレームであるサブフレーム＃Ｍ３（図１１中、“ＵＬ  ＃Ｍ３”と表記）に、ＤＬデータに対するＡＣＫ／ＮＡＣＫ（図１１中、ＡＣＫ／ＮＡＣＫ（ＤＬ  ＃Ｎ）と表記）を多重される。そして、Ｓｔｅｐ１１０４へ遷移する。
【０１２５】
Ｓｔｅｐ１１０７では、サブフレーム“＃Ｎ＋Ｂ１”より１つ後方のサブフレームからサブフレーム“＃Ｎ＋Ｂ１＋Ｂ２−Ｄ”までのサブフレーム＃Ｍ（図１１中、＃Ｍと表記）に、ＵＬのバックホールのサブフレームで、ＤＬデータに対するＡＣＫ／ＮＡＣＫを送信するかどうか判断する。ＤＬデータに対するＡＣＫ／ＮＡＣＫを基地局５００へ送信するかどうかは、サブフレーム“＃Ｎ＋Ｂ１＋１”からサブフレーム“＃Ｎ＋Ｂ１＋Ｂ２−Ｄ”で、「ＤＬデータが割り当てられているが、ＵＬ  ｇｒａｎｔが割り当てられていないサブフレーム」があるかどうかで判断できる。すでにＳｔｅｐ１１０５でＵＬデータがないこと判断しているので、Ｓｔｅｐ１１０７では、サブフレーム“＃Ｎ＋Ｂ１＋１”からサブフレーム“＃Ｎ＋Ｂ１＋Ｂ２−Ｄ”で、ＤＬデータが割り当てられているかどうかを判断すればよい。割り当てられていればＳｔｅｐ１１０８へ、割り当てられてなければＳｔｅｐ１１０９へ遷移する。
【０１２６】
Ｓｔｅｐ１１０８では、Ｓｔｅｐ１１０７でＤＬデータに対するＡＣＫ／ＮＡＣＫが割り当てられていると判断されたサブフレーム＃Ｍのうち、サブフレーム“＃Ｎ＋Ｂ１”に最も近いサブフレームであるサブフレーム＃Ｍ４に、ＤＬデータに対するＡＣＫ／ＮＡＣＫが多重される。そして、Ｓｔｅｐ１１０４へ遷移する。
【０１２７】
Ｓｔｅｐ１１０９では、ＵＬサブフレームであるサブフレーム“＃Ｎ＋Ｂ１”にＤＬデータに対するＡＣＫ／ＮＡＣＫを送信する。
【０１２８】
なお、上記各実施の形態において、バックホールサブフレームをあらかじめ連続するサブフレームに割当てるようにしてもよい。バックホールに連続するサブフレームが割当てられていると、隣接するサブフレームでＵＬデータの送信がある場合、ＵＬデータ送信のないサブフレームに送信予定であるＡＣＫ／ＮＡＣＫを多重できる。
【０１２９】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３０】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１３１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１３２】
なお、上記実施の形態ではアンテナとして説明したが、アンテナポートでも同様に適用できる。アンテナポート（antenna port）とは、1本または複数の物理アンテナから構成される、論理的なアンテナを指す。すなわち、アンテナポートは必ずしも1本の物理アンテナを指すとは限らず、複数のアンテナから構成されるアレイアンテナ等を指すことがある。例えばLTEにおいては、アンテナポートが何本の物理アンテナから構成されるかは規定されず、基地局が異なるReference signalを送信できる最小単位として規定されている。また、アンテナポートはPrecoding vectorの重み付けを乗算する最小単位として規定されることもある。
【０１３３】
本発明を詳細にまた特定の実施態様を参照して説明したが、本発明の精神と範囲を逸脱することなく様々な変更や修正を加えることができることは当業者にとって明らかである。
【０１３４】
本出願は、２０１０年３月３１日出願の日本特許出願（特願２０１０−０８３０１０）、に基づくものであり、その内容はここに参照として取り込まれる。
【産業上の利用可能性】
【０１３５】
本発明に係る無線通信装置及び無線通信方法は、リソースの利用効率を向上でき、かつ送受信の切換え回数を削減することができるという効果を有し、無線通信中継局装置等として有用である。
【符号の説明】
【０１３６】
１００、４００  中継局
２００、５００  基地局
３００、６００  移動局
１３７、４３７  ＵＬデータ・ＡＣＫ／ＮＡＣＫ多重判断部
１１３、４１３  ＵＬ信号・ＡＣＫ／ＮＡＣＫ多重部
１１５、４１５  アクセスリンク用制御信号生成部
【図１】
0005603411.tif 000002
【図２】
0005603411.tif 000003
【図３】
0005603411.tif 000004
【図４】
0005603411.tif 000005
【図５】
0005603411.tif 000006
【図６】
0005603411.tif 000007
【図７】
0005603411.tif 000008
【図８】
0005603411.tif 000009
【図９】
0005603411.tif 000010
【図１０】
0005603411.tif 000011
【図１１】
0005603411.tif 000012
【図１２】
0005603411.tif 000013
【図１３】
0005603411.tif 000014
【図１４】
0005603411.tif 000015
【図１５】
0005603411.tif 000016
【図１６】
0005603411.tif 000017